(57)【要約】【課題】くさび緊結式足場の開口部の幅が任意の幅に設定されても容易に対応することのできる梁枠の取付構造を提供する。【解決手段】本発明の梁枠の取付構造は、掛止孔６を有するフランジ５が設けられた複数の支柱１同士の間に、掛止孔６にくさび８が緊結されることによって複数種類の足場部材が連結されて設けられており、足場部材が部分的に配設されない開口部Ｓを有するくさび緊結式足場において、開口部Ｓの上部の前踏み側及び後踏み側にそれぞれ取付けられ、水平方向に延びる一対の梁枠１１と、開口部Ｓの上部隅部に位置するフランジ５に掛止されるとともに、一対の梁枠１１をそれぞれ支持する二対の梁枠受け部材２１と、支柱１を立設可能な梁枠渡し部材３１とを備え、梁枠渡し部材３１は、一対の梁枠１１同士に掛け渡されつつ梁枠１１上の所定位置に配置される。【選択図】図１
2018138717.tif 000002
【特許請求の範囲】
【請求項１】
掛止孔を有する掛止部材が所定の間隔を隔てて設けられた複数の支柱同士の間に、前記掛止孔にくさびが緊結されることによって複数種類の足場部材が連結されて設けられており、前記足場部材が部分的に配設されない開口部を有するくさび緊結式足場において、
前記開口部の上方部分に配設される上方の足場部材を支持するために、前記開口部の上部の前踏み側及び後踏み側にそれぞれ取付けられ、水平方向に延びる一対の梁枠と、
前記開口部の上部隅部に位置する前記掛止部材に掛止されるとともに、前記一対の梁枠をそれぞれ支持する二対の梁枠受け部材と、
前記上方の足場部材に含まれる支柱を立設可能な梁枠渡し部材とを備え、
前記梁枠渡し部材は、前記一対の梁枠同士に掛け渡されつつ前記梁枠上の所定位置に配置されることを特徴とする、梁枠の取付構造。
【請求項２】
前記各梁枠受け部材は、
前記梁枠を支持するＵ字状部材と、
前記Ｕ字状部材と一体的に設けられ前記掛止部材の前記掛止孔に差し込まれる差込片と、
前記Ｕ字状部材と一体的に設けられ前記支柱を締め付けるクランプとからそれぞれなる、請求項１に記載の梁枠の取付構造。
【請求項３】
前記梁枠渡し部材は、
前記一対の梁枠間に延びる横架材と、
前記横架材の両端に連結され、前記上方の足場部材に含まれる支柱を立設可能な２つの支柱受け部材とからなる、請求項１または２に記載の梁枠の取付構造。
【請求項４】
前記支柱受け部材は、
円筒状の本体と、
前記本体の上部に設けられ、前記上方の足場部材に含まれる支柱を立設するためのほぞと、
前記本体の周面に設けられ、前記横架材を連結可能な掛止部材と、
前記本体の周面の一部に設けられ、前記梁枠に掛止可能なフック部とからなる、請求項３に記載の梁枠の取付構造。
【請求項５】
掛止孔を有する掛止部材が所定の間隔を隔てて設けられた複数の支柱同士の間に、前記掛止孔にくさびが緊結されることによって複数種類の足場部材が連結されて設けられており、前記足場部材が部分的に配設されない開口部を有するくさび緊結式足場において、
前記開口部の上方部分に配設される上方の足場部材を支持するために、前記開口部の上部の前踏み側及び後踏み側にそれぞれ取付けられる一対の梁枠を前記くさび緊結式足場に対して取付ける際の、梁枠の取付構造に用いられる梁枠受け部材であって、
前記開口部の上部隅部に位置する前記掛止部材に掛止されており、
前記一対の梁枠をそれぞれ支持することを特徴とする、梁枠受け部材。
【請求項６】
掛止孔を有する掛止部材が所定の間隔を隔てて設けられた複数の支柱同士の間に、前記掛止孔にくさびが緊結されることによって複数種類の足場部材が連結されて設けられており、前記足場部材が部分的に配設されない開口部を有するくさび緊結式足場において、
前記開口部の上方部分に配設される上方の足場部材を支持するために、前記開口部の上部の前踏み側及び後踏み側にそれぞれ取付けられる一対の梁枠を前記くさび緊結式足場に対して取付ける際の、梁枠の取付構造に用いられる梁枠渡し部材であって、
前記上方の足場部材に含まれる支柱を立設可能であり、
前記一対の梁枠同士に掛け渡されつつ前記梁枠上の所定位置に配置されていることを特徴とする、梁枠渡し部材。
【発明の詳細な説明】
【技術分野】
【０００１】
本発明は、建築工事現場等で組立てられる仮設足場、特にくさび緊結式足場において用いられる梁枠の取付構造に関する。
【背景技術】
【０００２】
従来、仮設足場は、建築工事現場において例えばビル等の建築物に沿うようにして設けられ、現場作業者が建築物の補修や塗装等の工事を行うために用いられる。近年では、仮設足場に用いられる複数種類の仮設部材を連結するためにくさびが用いられる、いわゆるくさび緊結式足場が採用されている（例えば「特許文献１」参照）。
【０００３】
くさび緊結式足場は、図１３に示すように、通常、基本スパン（例えば１８２９ｍｍ）ごとに支柱４１が立設され、支柱４１に各仮設部材が連結されることにより構築される。くさび緊結式足場がマンションや店舗を有するビルに沿って設けられる場合、マンションや店舗等の出入口に応じて所定の空間を有する開口部Ｓが形成されることがある（図１３参照）。この開口部Ｓを通じて、マンションや店舗等に人が出入りしたり物を運搬したりすることができる。
【０００４】
くさび緊結式足場において開口部Ｓが形成される場合、開口部Ｓの上方部分にも仮設部材が設けられるため、通常、それらを支持するための梁枠４２が取付けられる。梁枠４２は、開口部Ｓの上部であって前踏み側（建築物に近い側）及び後踏み側（建築物に遠い側）の両方に横方向に延びて取付けられる（図１３では後踏み側の梁枠４２のみを示している。）。
【０００５】
梁枠４２は、開口部Ｓの幅とほぼ同じ長さとされ、図１４に示すように、２本の水平材４３，４４が平行に配され、それらが縦材４５や斜材４６等によって連結されて形成されている。縦材４５の上部には、ほぞ４７が縦材４５に連続するように形成されている。このほぞ４７には、開口部Ｓの上方部分に配置される支柱４１が嵌挿されて立設される。
【０００６】
梁枠４２の端部は、図１５に示すように、支柱４１に設けられたフランジ４８に連結される。より詳細には、フランジ４８に梁枠４２の連結部材４９が挟持され、くさび５０が連結部材４９を貫通しつつ、フランジ４８に形成された掛止孔５１に緊結されることにより、梁枠４２の端部と支柱４１とが連結される。
【０００７】
くさび緊結式足場においては、通常、左右方向に隣り合う支柱４１の設置間隔Ｗ（図１３参照）が基本スパンとされ、この基本スパンごとに支柱４１が立設される。そのため、開口部Ｓの幅は、基本スパンが基準となり、すなわち基本スパンの倍数の幅となるように設定される。
【０００８】
同様に、開口部Ｓの上方部分においても支柱４１の基本スパンを維持する必要があるため、上記梁枠４２には、支柱４１の設置間隔と一致する間隔Ｗで縦材４５及びほぞ４７が設けられている（図１４参照）。
【０００９】
ここで、建築工事現場においては、上記開口部Ｓの幅を任意の幅に設定したい場合がある。例えば建築物が店舗である場合には、開口部Ｓの幅を店舗の出入口の幅に合わしたり、あるいは開口部Ｓを車両が通過する場合には、開口部Ｓの幅を車両の幅よりやや大の幅に合わしたりする場合がある。
【００１０】
しかしながら、くさび緊結式足場における開口部Ｓの幅は、上記したように、梁枠４２の長さと略一致しており、かつ支柱４１の基本スパンの倍数の幅に設定されているため、開口部Ｓの幅を任意の幅に設定すると、従来の梁枠４２を用いることができなくなる。
【００１１】
そのため、現場作業者は、基本スパンの倍数以外の幅を有する梁枠を別途準備しなければならず、開口部Ｓの幅は建築工事現場ごとに異なることが多いので、その異なる幅の開口部Ｓに応じた梁枠を建築工事現場ごとに準備する必要があるといった煩わしさがあった。また、梁枠の種類が多くなると、それらの管理が煩雑になるといった問題点もあった。
【先行技術文献】
【特許文献】
【００１２】
【特許文献１】特開２０１４−１０１６５９号公報
【発明の概要】
【発明が解決しようとする課題】
【００１３】
本発明は、上記した事情のもとで考え出されたものであって、くさび緊結式足場の開口部の幅が任意の幅に設定されても容易に対応することのできる梁枠の取付構造を提供することをその課題とする。また、この梁枠の取付構造に用いられる梁枠受け部材及び梁枠渡し部材を提供することをその課題とする。
【課題を解決するための手段】
【００１４】
本発明の第１の側面によって提供される梁枠の取付構造は、掛止孔を有する掛止部材が所定の間隔を隔てて設けられた複数の支柱同士の間に、前記掛止孔にくさびが緊結されることによって複数種類の足場部材が連結されて設けられており、前記足場部材が部分的に配設されない開口部を有するくさび緊結式足場において、前記開口部の上方部分に配設される上方の足場部材を支持するために、前記開口部の上部の前踏み側及び後踏み側にそれぞれ取付けられ、水平方向に延びる一対の梁枠と、前記開口部の上部隅部に位置する前記掛止部材に掛止されるとともに、前記一対の梁枠をそれぞれ支持する二対の梁枠受け部材と、前記上方の足場部材に含まれる支柱を立設可能な梁枠渡し部材とを備え、前記梁枠渡し部材は、前記一対の梁枠同士に掛け渡されつつ前記梁枠上の所定位置に配置されることを特徴としている。
【００１５】
本発明の梁枠の取付構造において、前記各梁枠受け部材は、前記梁枠を支持するＵ字状部材と、前記Ｕ字状部材と一体的に設けられ前記掛止部材の前記掛止孔に差し込まれる差込片と、前記Ｕ字状部材と一体的に設けられ前記支柱を締め付けるクランプとからそれぞれなるとよい。
【００１６】
本発明の梁枠の取付構造において、前記梁枠渡し部材は、前記一対の梁枠間に延びる横架材と、前記横架材の両端に連結され、前記上方の足場部材に含まれる支柱を立設可能な２つの支柱受け部材とからなるとよい。
【００１７】
本発明の梁枠の取付構造において、前記支柱受け部材は、円筒状の本体と、前記本体の上部に設けられ、前記上方の足場部材に含まれる支柱を立設するためのほぞと、前記本体の周面に設けられ、前記横架材を連結可能な掛止部材と、前記本体の周面の一部に設けられ、前記梁枠に掛止可能なフック部とからなるとよい。
【００１８】
本発明の第２の側面によって提供される梁枠受け部材は、掛止孔を有する掛止部材が所定の間隔を隔てて設けられた複数の支柱同士の間に、前記掛止孔にくさびが緊結されることによって複数種類の足場部材が連結されて設けられており、前記足場部材が部分的に配設されない開口部を有するくさび緊結式足場において、前記開口部の上方部分に配設される上方の足場部材を支持するために、前記開口部の上部の前踏み側及び後踏み側にそれぞれ取付けられる一対の梁枠を前記くさび緊結式足場に対して取付ける際の、梁枠の取付構造に用いられる梁枠受け部材であって、前記開口部の上部隅部に位置する前記掛止部材に掛止されており、前記一対の梁枠をそれぞれ支持することを特徴としている。
【００１９】
本発明の第３の側面によって提供される梁枠渡し部材は、掛止孔を有する掛止部材が所定の間隔を隔てて設けられた複数の支柱同士の間に、前記掛止孔にくさびが緊結されることによって複数種類の足場部材が連結されて設けられており、前記足場部材が部分的に配設されない開口部を有するくさび緊結式足場において、前記開口部の上方部分に配設される上方の足場部材を支持するために、前記開口部の上部の前踏み側及び後踏み側にそれぞれ取付けられる一対の梁枠を前記くさび緊結式足場に対して取付ける際の、梁枠の取付構造に用いられる梁枠渡し部材であって、前記上方の足場部材に含まれる支柱を立設可能であり、前記一対の梁枠同士に掛け渡されつつ前記梁枠上の所定位置に配置されていることを特徴としている。
【発明の効果】
【００２０】
本発明の梁枠の取付構造によれば、一対の梁枠は支柱に掛止された二対の梁枠受け部材によってそれぞれ支持され、前踏み側及び後踏み側のそれぞれに支持された一対の梁枠同士の間には梁枠渡し部材が掛け渡され、梁枠渡し部材は梁枠上の所定位置に配置される。そのため、開口部の上方部分において、梁枠渡し部材によって立設される支柱を梁枠上の所定の位置に配置させることができる。開口部の幅は支柱の配置位置で設定することができるので、本発明では、開口部の幅を任意の幅に設定することができる。
【図面の簡単な説明】
【００２１】
【図１】本発明に係る梁枠の取付構造が適用される仮設足場の正面図である。
【図２】支柱、腕木材及び足場板の取付状態を示す図である。
【図３】梁枠の外形を示す図である。
【図４】梁枠の外形を示す部分拡大図である。
【図５】梁枠受け部材の外形を示す斜視図である。
【図６】梁枠受け部材の外形を示し、（ａ）は正面図、（ｂ）は上面図、（ｃ）は右側面図である。
【図７】梁枠受け部材の背面図である。
【図８】梁枠渡し部材の外形を示す図である。
【図９】支柱受け部材の外形を示す斜視図である。
【図１０】支柱受け部材の外形を示し、（ａ）は正面図、（ｂ）は上面図、（ｃ）は右側面図である。
【図１１】梁枠の梁枠受け部材に対する取付状態を説明するための図である。
【図１２】梁枠渡し部材の梁枠に対する取付状態を説明するための図である。
【図１３】従来の梁枠が取付けられたくさび緊結式足場の正面図である。
【図１４】従来の梁枠の外形を示す部分拡大図である。
【図１５】従来の梁枠が支柱に連結されるときの状態を説明するための図である。
【発明を実施するための形態】
【００２２】
以下、本発明の実施の形態につき、図面を参照して具体的に説明する。
【００２３】
図１は、本発明に係る梁枠の取付構造が適用される仮設足場の正面図である。仮設足場は、建築工事現場において例えばビル等の建築物に沿うようにして設けられ、現場作業者が建築物の補修や塗装等の工事を行うために用いられる。
【００２４】
図１に示す仮設足場は、複数種類の仮設部材を連結するためにくさびが用いられる、いわゆるくさび緊結式足場である。くさび緊結式足場は、立設された複数の支柱１、隣り合う支柱１間に設けられ作業者が作業を行うあるいは移動するための足場板２、及び隣り合う支柱１間に設けられ作業者の転落を防止するための手摺３等によって概略構成されている。
【００２５】
このくさび緊結式足場に用いられる支柱１には、上下方向に所定間隔を隔ててフランジ５が設けられている（図２参照）。フランジ５は、水平方向に広がるように略花びら状に形成され、十字方向に４つの掛止孔６が形成されている。くさび緊結式足場においては、図１に示す奥行方向に隣り合う支柱１同士の間に例えば腕木材４が配設される。
【００２６】
腕木材４は、その両端にくさび７が遊嵌される連結部材８が設けられており、フランジ５に形成された掛止孔６にくさび７が緊結されることにより、支柱１のフランジ５に腕木材４が連結される。なお、通常くさび緊結式足場においては、腕木材４に足場板２が支持されて設けられ、フランジ５の他の掛止孔６に図示しない手摺枠３が連結される。
【００２７】
図１に戻り、くさび緊結式足場においては、マンションや店舗等の出入口に応じて所定の空間を有する開口部Ｓが形成されることがある。開口部Ｓの上部には、その上方部分に配設される仮設部材を支持するための一対の梁枠１１が取付けられている。一対の梁枠１１は、開口部Ｓの上部であって前踏み側（建築物に近い側）及び後踏み側（建築物に遠い側）の両方に水平方向に延びるようにして取付けられる。なお、図１では、後踏み側の梁枠１１のみを示している。
【００２８】
ここで、開口部Ｓは、その幅が通常、支柱１間の基本スパン（例えば１８２９ｍｍ）の倍数とほぼ一致するように設定されることが多いが、必要に応じ基本スパンの倍数以外の任意の幅に設定されることがある。本実施形態の梁枠１１の取付構造は、そのような開口部Ｓの幅が基本スパンの倍数以外の任意の幅に設定される場合があっても、設定された開口部Ｓの幅に容易に対応することができるものである。
【００２９】
梁枠１１は、少なくとも開口部Ｓの幅より大の長さとされ、図３に示すように、水平方向に延びて形成されたパイプ状の上側水平材１２と、それに並行に配されたパイプ状の下側水平材１３と、所定の間隔を隔てて上下方向に並設される複数の縦部材１４と、隣り合う縦部材１４の間にトラス状に設けられた複数の斜材１５とによって概略構成されている。
【００３０】
梁枠１１の両端部には、この梁枠１１をくさび緊結式足場に取付けるための取付部１６がそれぞれ設けられている。取付部１６は、図４に示すように、上側水平材１２の端部（一部）と、上側水平材１２寄りに水平方向に延びた補助水平材１７と、上側水平材１２と補助水平材１７との端部同士を連結する連結材１８とによって構成されている。
【００３１】
なお、図４には示していないが、最も端にある縦部材１４と、補助水平材１７との間には、後述する梁枠受け部材２１が邪魔にならなければ、補強材が斜め方向に配されて設けられていてもよい。また、梁枠１１の構成は、上方部分に配設される仮設足場を支持することのできる強度を有するものであれば、図３及び図４に示す形状に限るものではない。
【００３２】
一対の梁枠１１は、くさび緊結式足場に対して二対の梁枠受け部材２１によって支持されて取付けられる。各梁枠受け部材２１は、それ自体は後述するように支柱１のフランジ５に取付けられて用いられる。
【００３３】
図５は梁枠受け部材２１の斜視図であり、図６は梁枠受け部材２１の外形を示し、（ａ）は正面図、（ｂ）は上面図、（ｃ）は右側面図である。また、図７は梁枠受け部材２１の背面図である。梁枠受け部材２１は、左右方向に並設され梁枠１１を支持するための一対のＵ字状部材２２を備えている。一対のＵ字状部材２２は、梁枠１１を支持するために、曲面部が下方に位置するように形成されている。一対のＵ字状部材２２には、それらの一方側面の上部及び下部に、それら同士を連結するための平板状の上連結部材２３及び下連結部材２４がそれぞれ設けられている。
【００３４】
上連結部材２３の背面側には、上下方向に延びた差込片２５が設けられている。差込片２５は、梁枠受け部材２１の取付時に、開口部Ｓの上部隅部Ｃ（図１参照）に位置するフランジ５の掛止孔６に差込まれる。より具体的には、差込片１５は、フランジ５において腕木材４が取付けられる掛止孔６と反対側にある掛止孔６（図２参照）に差し込まれる。一方、下連結部材２４の背面側には、平板状の取付部材２６を介してクランプ２７が例えばボルト止めされている。クランプ２７は、梁枠受け部材２１を支柱１に固定するためのものであり、梁枠受け部材２１の取付時に、支柱１を所定の締付けトルクで締め付ける。
【００３５】
上記Ｕ字状部材２２のそれぞれには、対向する面の同一高さ位置において貫通孔２８が形成されている。一対のＵ字状部材２２には、それらの貫通孔２８を貫通するとともに上記一対のＵ字状部材２２を掛け渡すようにコの字状ボルト２９が取付けられている。コの字状ボルト２９の端部には、蝶ナット３０が螺着されている。蝶ナット３０は、一対のＵ字状部材２２に梁枠１１の上側水平材１２及び補助水平材１７を配したときに、それらを締付けて固定するためのものである。
【００３６】
前踏み側及び後踏み側のそれぞれに取付けられた一対の梁枠１１同士の間（図１の奥行き方向における間）には、１または複数の梁枠渡し部材３１が掛け渡される。梁枠渡し部材３１は、後述するように梁枠１１の上側水平材１２の所定位置に配置される。図１では、３つの梁枠渡し部材３１が配置されている。
【００３７】
梁枠渡し部材３１は、図８に示すように、長尺状の腕木材４と、その両端に連結される支柱受け部材３２とからなる。腕木材４は、パイプ状の本体４ａと、本体４ａの両端に設けられた連結部材８及びくさび７からなる。なお、本実施形態における梁枠渡し部材３１の腕木材４は、本梁枠渡し部材３１用に新たに設計製作されたものではなく、図２に示したように、くさび緊結式足場において汎用的に用いられる腕木材４が使用されている。
【００３８】
図９は支柱受け部材３２の斜視図であり、図１０は支柱受け部材３２の外形を示し、（ａ）は正面図、（ｂ）は上面図、（ｃ）は右側面図である。
【００３９】
支柱受け部材３２は、円筒状の円筒部３３を備え、円筒部３３の上部には、その直径よりやや小の直径を有しかつ所定の長さを有するほぞ３４が設けられている。ほぞ３４は、支柱１が嵌挿されることにより支柱１を立設させるためのものである。円筒部３３の周面には、水平方向に広がるように形成され３つの掛止孔３５を有するフランジ３６が設けられている。また、円筒部３３の周面の一部には、平面視略コの字状の連結部３７を介して梁枠１１に掛止するための側面視Ｕ字状のフック部３８が設けられている。フック部３８は、梁枠１１に掛止するために、曲面部が上方に位置するように形成されている。
【００４０】
支柱受け部材３２のフランジ３６において、フック部３８とは反対側に形成された掛止孔３５に、腕木材４の連結部材８及びくさび７が連結されることにより、支柱受け部材３２と腕木材４とが一体化される。また、腕木材４の他方端の連結部材８及びくさび７にも、他の支柱受け部材３２が連結されて一体化される。
【００４１】
次に、梁枠１１のくさび緊結式足場に対する取付手順について説明する。
【００４２】
くさび緊結式足場において開口部Ｓが形成される場合、開口部Ｓの上方部分に配設される足場部材を支持するために、一旦、開口部Ｓが形成される領域に、仮設部材（支柱１、手摺材３及び腕木材４等）による仮足場が仮組みされる。
【００４３】
次に、仮組みされた仮足場の上方に、梁枠受け部材２１が取付けられる。より詳細には、梁枠受け部材２１は、開口部Ｓの上部隅部Ｃ（図１参照）の両方に位置するフランジ５にそれぞれ取付けられる。すなわち、梁枠受け部材２１の差込片２５が当該フランジ５の掛止孔６に差し込まれ、クランプ２７によってそのフランジ５を有する支柱１が所定の締付けトルクで締め付けられる。これにより、梁枠受け部材２１は、開口部Ｓの上部隅部Ｃにおいて支柱１に固定される。なお、梁枠受け部材２１は、前踏み側及び後踏み側の上部隅部Ｃに合計４つ取付けられる。
【００４４】
次いで、図１１に示すように、支柱１に対して固定された梁枠受け部材２１に、梁枠１１が支持される。詳細には、一対のＵ字状部材２２の内側に梁枠１１の取付部１６の上側水平材１２及び補助水平材１７が配置され、コの字状ボルト２９が一対のＵ字状部材２２の貫通孔２８に挿入されて蝶ナット３０で締め付けられることにより、梁枠１１の取付部１６は、梁枠受け部材２１に固定される。
【００４５】
梁枠渡し部材３１は、図１２に示すように、梁枠１１の上側水平材１２の所定位置（支柱１が立設される位置）に配置される。すなわち、両支柱受け部材３２の各フック部３８は、前踏み側及び後踏み側の各梁枠１１の上側水平材１２に、梁枠渡し部材３１が掛け渡されるようにして掛止される。
【００４６】
次に、各支柱受け部材３２のほぞ３４に、支柱１がそれぞれ嵌挿される。そして、図１２には示していないが、隣り合う梁枠渡し部材３１の手摺材４同士の間には、それらを掛け渡すように足場板２が配置される。また、左右方向に隣り合う支柱１の間には、手摺３が取付けられる。その後、開口部Ｓの領域に仮組みされた仮足場を解体する。これにより、開口部Ｓの空間が形成される。
【００４７】
このように、梁枠１１は、梁枠受け部材２１によって容易に開口部Ｓの上部に取付けることができる。梁枠渡し部材３１は、梁枠１１の上側水平材１２の所定位置に掛け渡すことができるので、開口部Ｓの上方部分に設置される支柱１を好適な位置に立設させることができる。開口部Ｓの幅は支柱１の配置位置で設定することができるので、開口部Ｓの幅を基本スパンの倍数以外の幅に設定することができ、すなわち開口部Ｓの幅を任意の幅に設定することができる。
【００４８】
また、本実施形態によれば、梁枠１１は少なくとも開口部Ｓの幅より大であればよく、梁枠受け部材２１によって支持されるので、建築工事現場ごとに開口部Ｓの幅が異なる場合であっても、建築工事現場ごとに異なる長さの梁枠を準備する必要はない。また、それらを管理する必要もない。また、梁枠２１は、その長さが開口部Ｓの幅より大であればよいので、従来の梁枠４２のように寸法精度を必要としない。そのため、梁枠１１を容易に製作することができる。
【００４９】
また、梁枠１１は、平面視でくさび緊結式足場の各支柱１の軸心を結ぶ線に対して、外れた位置に取付けられる。具体的には、前踏み側の梁枠１１は、梁枠受け部材２１によって各支柱１の軸心を結ぶ線からより建築物側に配置され、後踏み側の梁枠１１は、各支柱１の軸心を結ぶ線からより建築物から遠ざかる位置に配置される。従来の梁枠４２は、支柱１の軸心を結ぶ線と同一線上に配置され、かつ梁枠４２の長さと開口部Ｓの幅がほぼ同じであったことにより、梁枠４２の取付け時の作業がしづらいことがあった。しかしながら、本実施形態では、梁枠１１は、各支柱１の軸心を結ぶ線から外れた位置に取付けられるので、取付け時の作業性を向上させることができる。
【００５０】
また、本実施形態の支柱受け部材３２は、上述したように汎用性のある腕木材４が用いられているので、製作コストを低減することができる。また、汎用性のある腕木材４を用いることから、例えばくさび緊結式足場の奥行き方向の幅が建築工事現場において急遽変更になっても、腕木材４のみを取り換えればよく、柔軟に対応することができる。
【００５１】
なお、本発明の範囲は上述した実施の形態に限定されるものではなく、発明の範囲を逸脱しない範囲で種々の変更を行うことができる。例えば、上記実施形態における梁枠１１、梁枠受け部材２１、梁枠渡し部材３１、支柱受け部材３２等の形状、大きさ、数量等は、上記実施形態に限るものではなく、適宜設計変更可能である。例えば、上記実施形態では、支柱１にフランジ５が設けられていたが、フランジ５に代えて例えば上面視コの字状のポケット体が設けられ、各仮設部材はこのポケット体に連結されてもよい。
【符号の説明】
【００５２】
１    支柱
２    足場板
３    手摺
４    腕木材
５    フランジ
６    掛止孔
１１    梁枠
１２    上側水平材
１３    下側水平材
１４    縦材
１６    取付部
２１    梁枠受け部材
２４    Ｕ字状部材
３１    梁枠渡し部材
３２    支柱受け部材
３４    ほぞ
Ｓ    開口部
【図１】
2018138717.tif 000003
【図２】
2018138717.tif 000004
【図３】
2018138717.tif 000005
【図４】
2018138717.tif 000006
【図５】
2018138717.tif 000007
【図６】
2018138717.tif 000008
【図７】
2018138717.tif 000009
【図８】
2018138717.tif 000010
【図９】
2018138717.tif 000011
【図１０】
2018138717.tif 000012
【図１１】
2018138717.tif 000013
【図１２】
2018138717.tif 000014
【図１３】
2018138717.tif 000015
【図１４】
2018138717.tif 000016
【図１５】
2018138717.tif 000017